(57)【特許請求の範囲】
【請求項１】
内部に室内送風ファンを収めて被空調区間である室内に設置される室内機と、圧縮機で冷媒を圧縮して循環させる冷凍サイクルと、を具備し、冷房運転を行う空気調和機であって、
前記室内の温度を検出する室内温度センサーと、
当該空気調和機の運転を制御する制御装置と、を備え、
前記制御装置は、
冷房運転中に、前記室内温度センサーの検出した現在の室内温度が設定温度以下となる、もしくは前記現在の室内温度が前記設定温度よりも所定の温度幅だけ低い基準温度以下となると、前記圧縮機の運転を停止して圧縮機停止状態に移行させるとともに、この圧縮機停止状態への移行に際して、前記室内送風ファンの回転数を、当該移行の直前の前記圧縮機が運転状態であった時の回転数よりも増加させるものであり、さらに前記現在の室内温度と前記設定温度もしくは前記基準温度との温度差ΔＴがΔＴ≦０である前記圧縮機停止状態において、前記温度差ΔＴが低下する場合には、その温度差ΔＴの低下に対応させて、前記室内送風ファンの回転数を前記増加させた回転数から段階的に減少させていくことを特徴とする空気調和機。
【請求項２】
内部に室内送風ファンを収めて被空調区間である室内に設置される室内機と、圧縮機で冷媒を圧縮して循環させる冷凍サイクルと、を具備し、冷房運転を行う空気調和機であって、
前記室内の温度を検出する室内温度センサーと、
当該空気調和機の運転を制御する制御装置と、を備え、
前記制御装置は、
冷房運転中に、前記室内温度センサーの検出した現在の室内温度が設定温度以下となる、もしくは前記現在の室内温度が前記設定温度よりも所定の温度幅だけ低い基準温度以下となると、前記圧縮機の運転を停止して圧縮機停止状態に移行させるとともに、この圧縮機停止状態への移行に際して、前記室内送風ファンの回転数を、当該移行の直前の前記圧縮機が運転状態であった時の回転数よりも増加させるものであり、さらに冷房運転開始の指示があった時に、前記現在の室内温度が前記設定温度以下もしくは前記基準温度以下である場合には、前記圧縮機を起動せずに圧縮機停止状態とし、前記現在の室内温度と前記設定温度もしくは前記基準温度との温度差ΔＴがΔＴ≦０であるこの圧縮機停止状態において、ΔＴ＝０に向かって温度差ΔＴが上昇する場合に、前記温度差ΔＴの上昇に対応させて、前記室内送風ファンの回転数を段階的に増加させるとともに、前記温度差ΔＴが０を超えれば、前記圧縮機を起動させ、当該起動に際して、前記室内送風ファンの回転数を、当該起動の直前の前記圧縮機停止状態における回転数よりも減少させることを特徴とする空気調和機。
【請求項３】
前記制御装置は、
冷房運転開始の指示があった時に、前記現在の室内温度が前記設定温度以下もしくは前記基準温度以下である場合には、前記圧縮機を起動せずに圧縮機停止状態とし、前記現在の室内温度と前記設定温度もしくは前記基準温度との温度差ΔＴがΔＴ≦０であるこの圧縮機停止状態において、ΔＴ＝０に向かって温度差ΔＴが上昇する場合に、前記温度差ΔＴの上昇に対応させて、前記室内送風ファンの回転数を段階的に増加させるとともに、
前記温度差ΔＴが０を超えれば、前記圧縮機を起動させ、当該起動に際して、前記室内送風ファンの回転数を、当該起動の直前の前記圧縮機停止状態における回転数よりも減少させることを特徴とする請求項１に記載の空気調和機。
【請求項４】
前記制御装置は、
前記室内送風ファンの回転数を増加もしくは減少させる際に、目標とする回転数に一気に変更させずに、目標とする回転数まで徐々に変化させていくことを特徴とする請求項１乃至３のいずれかに記載の空気調和機。
【請求項５】
前記室内機は、当該室内機から吹き出される空気流の風向を左右風向に変更可能とする左右風向板と、上下方向に変更可能とする上下風向板とを備え、
前記制御装置は、
前記圧縮機停止状態において、前記左右風向板と前記上下風向板の少なくともどちらかは、スイング動作させることを特徴とする請求項１乃至４のいずれかに記載の空気調和機。
【請求項６】
前記室内機は、当該室内機から吹き出される空気流の風向を左右風向に変更可能とする左右風向板と、上下方向に変更可能とする上下風向板と、前記室内の在室者の位置を検出する人体検知センサーを備え、
前記制御装置は、
前記圧縮機停止状態において、前記人体検出センサーの検出した前記室内の在室者の位置に基づいて、前記左右風向板と前記上下風向板を回動制御して、吹き出し空気流の吹き出し方向を調整することを特徴とする請求項１乃至４のいずれかに記載の空気調和機。
【請求項７】
前記室内機は、前記室内の輻射温度を検出する輻射温度センサーを備え、
前記制御装置は、
前記室内温度センサーの検出した室内温度に前記輻射温度センサーの検出した輻射温度を加味して前記室内の体感温度を算出し、前記現在の室内温度をこの体感温度に置き換えて、運転制御を行うことを特徴とする請求項１乃至６のいずれかに記載の空気調和機。
【発明の詳細な説明】
【技術分野】
【０００１】
この発明は、空気調和機に関し、特に、屋内に設置される室内機の送風ファンの制御に関するものである。
【背景技術】
【０００２】
圧縮機で冷媒を圧縮して循環させ、低温熱源から吸熱し、高温熱源に排熱する冷凍サイクルを用いたヒートポンプ式の空気調和機は、大気の熱を有効利用し、入力エネルギーよりも大きい熱エネルギーを運ぶことができることでエネルギー効率が高く、高い省エネルギー効果を発揮するため、地球温暖化の抑制の観点からも非常に有効な冷暖房機器であり、今日まで広く普及するに至っている。
【０００３】
一方で、一般家庭において、家庭用の空気調和機（一般にはルームエアコンと呼ばれている）の運転頻度が高まり、空気調和機の消費電力量が、家庭内の全電力消費の約２５％を占めるまでにいたっており、空気調和機は、ヒートポンプ作用によりエネルギー効率は高いものの、消費電力量の高い電化機器と言われることがある。
【０００４】
これまで空気調和機の消費電力量低減を目的に、数々の提案がなされてきているが、例えば、冷房運転中に外気温度が予め設定された温度レベルを越えて高い場合には、室内の設定温度を下げるのではなく、設定温度はそのままか、もしくは所定の温度幅だけ上昇させ、同時に室内送風ファンの回転数を増加させて風速（風量）を上げるとともに、風向制御を行って、吹き出し冷風を在室者に直接あて、身体にあたる風速の増加で在室者の体感温度を下げる（冷涼感を補う）ことにより、快適性を維持させながら電力消費量を低減させるものがある。（例えば、特許文献１参照）。
【０００５】
また、冷房運転において、設定されたピークシフト運転時間帯には、検出した室内温度と設定温度との差が、予め設定された温度差以上のときには設定温度を上げ、吹出口の風向板の吹き出し面積を絞り込んで、もしくは室内送風ファンの回転数を高回転にして風速を強めて居住者の体感温度を補正し、始めに設定した設定温度と同等の空調運転を提供することで快適性を損なわずに電力消費量を削減させるものがある。（例えば、特許文献２参照）。
【０００６】
近年の空気調和機では、冷凍サイクルにあって冷媒を圧縮して循環させる圧縮機が、所定の幅で回転数を変更可能であるものが一般的であり、室内温度センサーなどにより検出する現在の室内温度とユーザが例えばリモコンを使用して設定した設定温度との温度差に基づいて圧縮機の回転数が概ね制御されている。その温度差が大きいと圧縮機の回転数を高めて冷凍サイクルの冷媒循環量を増すようにしており、そして、温度差が小さくなる、すなわち室内温度が設定温度に近づいてくると、圧縮機の回転数を低回転数へと減少させていく。
【０００７】
そして、室内機の内部に設置される室内送風ファンも、例えば３段階など複数段階に回転数が変更（切換え）可能であり、当該室内機の風速設定が自動モードとされている場合では、圧縮機と同じように、現在の室内温度と設定温度との温度差に基づいてその回転数が切換えられている。例えば、室内送風ファンが強風、中風、弱風とその回転数が３段階に切換え可能なタイプでは、現在の室内温度と設定温度との温度差が大きく、圧縮機が高回転数で運転されているときには、切換え可能な範囲で最も高い回転数である強風にて室内送風ファンを回転させ、室内機の吸込口から吸い込まれ吹出口から室内へと吹き出される空気流の流量（風量）を最大とする。
【０００８】
圧縮機の高回転により吸込口と吹出口の途中にある室内熱交換器内を流れる冷媒量が多いので、このような状態の室内熱交換器を通過する空気流を多くすることで、空気と冷媒との熱交換を促進させて熱交換量を高め、冷房運転であれば冷房能力、暖房運転であれば暖房能力を高めるようにしている。
【０００９】
そして、現在の室内温度と設定温度との温度差が小さくなっていくと、中風、弱風へと段階的に切替え、風量を低減させていく。室内温度が設定温度に近づき、圧縮機が低回転数で運転されているときには、切換え可能な範囲で最も低い回転数である弱風にて室内送風ファンを回転させ、風量を最小とし、冷房能力もしくは暖房能力を適度に抑えるようにしている。
【００１０】
また、例えば冷房運転の場合では、検出された現在の室内温度が設定温度以下となる、もしくは設定温度よりも所定温度幅（例えば１℃）だけ低い基準温度以下となると、過度な冷房（これを過冷房と呼ぶこととする）をしないように、言い換えれば冷え過ぎを防ぐために、圧縮機の運転を停止し、冷凍サイクルを稼動停止状態とするようにしている。そして、現在の室内温度が再び設定温度もしくは上記の基準温度を超えると、圧縮機の運転を再開し（再起動させ）、冷凍サイクルを再び稼動状態にする。
【００１１】
ただし、圧縮機が短時間のうちに頻繁に運転停止と運転再開（起動）を繰り返す事態を避けるために、一度、過冷房防止のために圧縮機が運転停止となったならば、例えば１５０秒間など予め設定された所定時間は、現在の室内温度の如何に関わらず、圧縮機の運転を再開（圧縮機を再起動）せずに、圧縮機の運転停止状態、すなわち冷凍サイクルの稼動停止状態を維持するよう、圧縮機再起動の規制制御を行っている。
【００１２】
このように、冷房運転時に、現在の室内温度（検出値）が設定温度以下となる、もしくは上記のような基準温度以下となると、過冷房防止のために圧縮機の運転を停止し、圧縮機が再起動するまでの状態（圧縮機再起動の規制制御により停止している状態を含む）を、ここでは、圧縮機停止状態と呼ぶこととする。空気調和機そのものがＯＦＦ（運転切）状態の場合でも、当然、圧縮機は停止、冷凍サイクルも稼動停止しているわけであるが、上記の圧縮機停止状態は、そのような空気調和機ＯＦＦ状態とは区別するものである。圧縮機停止状態においては、空気調和機そのものはＯＮ（運転入）状態となっている。
【先行技術文献】
【特許文献】
【００１３】
【特許文献１】特開平６−０１８０７２号公報
【特許文献２】特開平６−２２９６０８号公報
【発明の概要】
【発明が解決しようとする課題】
【００１４】
従来の空気調和機は、風速設定が自動モードの場合、上記の圧縮機停止状態においては、室内送風ファンについても停止するか、もしくは、圧縮機停止状態になる直前の弱風（切換え可能な範囲で最も低い回転数）をそのまま継続して低回転数で回転させていた。よって、冷房運転中に圧縮機停止状態となると、そのときから、冷却空気が吹出口から吹き出されなくなり、また室内送風ファンの送風作用による吹出口からの吹き出し風量もゼロとなるか、もしくは切換え可能な範囲で最も少ない風量となる。
【００１５】
このため、ユーザ（在室者）によっては、圧縮機停止状態となると、急に暑さを感じてしまい、そのように感じたユーザが、冷気を求めてリモコンで設定温度を現状よりも下げるという行動を取ることが起こり得る。このように、過冷房を防止するための圧縮機停止状態が、結果的には、ユーザの設定温度を下げるという行為に繋がらせてしまい、それにより、空気調和機の電力消費量を増加させてしまう事態を招く恐れがあった。
【００１６】
また、ユーザが例えば習慣的に空気調和機を運転入として、冷房運転開始を指示したときに、すでに室内温度が設定温度（もしくは基準温度）以下であるという状況も起こり得る。このような場合には、圧縮機は起動せず、最初から圧縮機停止状態となるが、室内温度が設定温度以下と低い状況であるにも関わらず、ユーザは感覚的な冷涼感を得ようと、リモコンで設定温度を下げるという行動を取ることも考えられる。この場合にも、圧縮機停止状態が、結果としてユーザの設定温度を下げるという行為に繋がらせてしまい、それにより、空気調和機の電力消費量を増加させてしまう恐れがあった。
【００１７】
先に述べた特許文献１、２は、冷房運転中に、外気温度が予め設定された温度レベルよりも高い、もしくは室内温度が設定温度に対して予め設定された温度差以上に高い、というように、空気調和機にとって熱負荷が大きく、より多くの冷房能力が要求されている状況において、設定温度を下げずに電力消費量の増加を抑えようとするものである。このような状況にあっては、当該空気調和機はその冷房能力を十分に発揮すべく、上記したように室内送風ファンは高回転数で運転されていることになる。
【００１８】
そうであれば、設定温度を下げることなく身体にあたる風速の増加にてユーザの冷涼感を補おうとするには、すでに高回転数で運転している室内送風ファンの回転数をより高くしなければならなくなる。すなわち、すでに高風量な状態にあるのに、さらに吹き出し風量を増そうとすることになり、送風に伴う騒音の増加を招き、ユーザに騒音という新たな不快感をもたらしてしまうという課題が発生する。
【００１９】
また、特許文献１、２では、外気温度や室内温度が高い冷房高負荷時を対象とした発明であり、現在の室内温度が設定温度近傍や設定温度以下となる冷房軽負荷状態や上記した圧縮機停止状態については何ら着目しておらず、このような状態におけるユーザの快適性と節電（消費電力量の増加抑制）の両立という課題すら見出されてはいない。
【００２０】
この発明は、上記のような課題を解決するためになされたもので、冷房運転中に圧縮機停止状態になっても、ユーザが急に暑さを感じることなく適度な冷涼感が得られるようにして、圧縮機停止状態でのユーザの快適性を確保することで、圧縮機停止状態中にユーザが設定温度を下げて消費電力量の増加を招いてしまうような事態を回避し、過冷房防止のための圧縮機停止状態の効果的な利用により、節電に貢献することができる空気調和機を提供することを目的とする。
【課題を解決するための手段】
【００２１】
この発明に係る空気調和機は、内部に室内送風ファンを収めて被空調区間である室内に設置される室内機と、圧縮機で冷媒を圧縮して循環させる冷凍サイクルと、を具備し、冷房運転を行う空気調和機であって、室内の温度を検出する室内温度センサーと、当該空気調和機の運転を制御する制御装置と、を備え、制御装置は、冷房運転中に、室内温度センサーの検出した現在の室内温度が設定温度以下となる、もしくは現在の室内温度が設定温度よりも所定の温度幅だけ低い基準温度以下となると、圧縮機の運転を停止して圧縮機停止状態に移行させるとともに、この圧縮機停止状態への移行に際して、室内送風ファンの回転数を、当該移行の直前の圧縮機が運転状態であった時の回転数よりも増加させるものであり、さらに現在の室内温度と設定温度もしくは前記基準温度との温度差ΔＴがΔＴ≦０である圧縮機停止状態において、温度差ΔＴが低下する場合には、その温度差ΔＴの低下に対応させて、室内送風ファンの回転数を前記増加させた回転数から段階的に減少させていくものである。
【発明の効果】
【００２２】
この発明によれば、冷房運転中に過冷房防止のための圧縮機停止状態になっても、ユーザの快適性を確保することができ、そのため、圧縮機停止状態中にユーザが設定温度を下げて消費電力量の増加を招いてしまうような事態を回避し、節電の貢献度が高い空気調和機を得ることができる。
【図面の簡単な説明】
【００２３】
【図１】この発明の実施の形態１における空気調和機の構成図である。
【図２】この発明の実施の形態１における空気調和機の室内機の断面図である。
【図３】この発明の実施の形態１における空気調和機の構成ブロック図である。
【図４】この発明の実施の形態１における空気調和機の制御ブロック図である。
【図５】この発明の実施の形態１における空気調和機の室内送風ファンの制御内容を示す概念図である。
【図６】この発明の実施の形態１における空気調和機の室内送風ファンの制御内容を示すフローチャートである。
【図７】この発明の実施の形態１における空気調和機の室内送風ファンの制御内容を示すフローチャートである。
【図８】体感温度を２５℃とする場合の室内温度と風速の関係を示す等体感温度線図である。
【図９】この発明の実施の形態２における空気調和機の構成ブロック図である。
【図１０】この発明の実施の形態３における空気調和機の構成ブロック図である。
【発明を実施するための形態】
【００２４】
実施の形態１．
以下、この発明の実施の形態１について、図１乃至図８を参照しながら説明する。
【００２５】
図１は、実施の形態１に係る空気調和機１００の構成を模式的に示す構成図であり、冷凍サイクルの冷媒回路も合わせて図示している。この空気調和機１００は、室内に設置される室内機１と屋外に設置される室外機２とから構成されるセパレート形であり、室内機１と室外機２の間は、接続配管１１ａ、１１ｂで冷媒回路が接続されている。接続配管１１ａは凝縮工程を通過後の冷媒が流れる液側の接続配管で、接続配管１１ｂは蒸発工程を通過後の冷媒が流れるガス側の接続配管である。
【００２６】
室外機２には、冷媒を圧縮して吐出する圧縮機３、冷媒の流れ方向を切換える冷媒流路切換弁４（以降、四方弁４と呼ぶ）、外気と冷媒との熱交換を行う室外熱交換器５、開度が変更可能で、高圧の冷媒を低圧に減圧する電子制御式膨張弁などの減圧装置６（以降、膨張弁６と呼ぶ）が配置され、室内機１には室内空気と冷媒との熱交換を行う室内熱交換器７が配置される。これらを接続配管１１ａ、１１ｂを含む配管で順次接続して冷媒回路、すなわち圧縮機３により冷媒を循環する圧縮式冷凍サイクル（圧縮式ヒートポンプサイクル）を構成している。
【００２７】
この空気調和機１００の運転を制御する制御装置が、室内機１と室外機２にそれぞれ設置され、室内機１には室内側制御装置１０ａ、室外機２には室外側制御装置１０ｂが配置される。それぞれが制御基板を保有し、その基板上に空気調和機１００を運転制御するための各種回路が構成されている。室内側制御装置１０ａと室外側制御装置１０ｂは室内外連絡ケーブル１０ｃにより接続されている。この室内外連絡ケーブル１０ｃは接続配管１１ａ、１１ｂとともに束ねられている。
【００２８】
なお、室内側制御装置１０ａと室外側制御装置１０ｂとは、室内外連絡ケーブル１０ｃを介して互いに情報をやり取りして空気調和機１００を制御しているので、ここでは、説明の便宜上、室内側制御装置１０ａと室外側制御装置１０ｂとをあわせて制御装置１０と定義する。
【００２９】
室外機２には、室外熱交換器５の近くに送風機である室外送風ファン８が設置され、室外送風ファン８を回転させることで、室外熱交換器５を通過する空気流を生成する。この室外機２では、室外送風ファン８としてプロペラファンを用いており、室外送風ファン８は、当該室外送風ファン８が生成する空気流において室外熱交換器５の下流側に位置している。
【００３０】
同様に、室内機１の内部には、室内熱交換器７の近くに室内送風ファン９が設置されていて、この室内送風ファン９の回転により室内熱交換器７を通過する空気流を生成する。この室内機１では、クロスフローファンを室内送送風ファン９として使用しており、当該室内送風ファン９が生成する空気流において室内熱交換器７の下流側に位置している。
【００３１】
室内機１には、当該室内機１が設置される室内の空気温度である室内温度Ｔａを測定し、その情報信号を室内側制御装置１０ａに送る室内温度センサー１２が設けられている。また、この空気調和機１００のユーザが、空気調和機１００に対して運転入切や運転内容の指示を行うワイヤレスのリモコン１３から発信された指示信号を受信し、これを室内側制御装置１０ａに伝達するリモコン受信部１４が設置されている。
【００３２】
圧縮機３は、起動時等を除き、通常運転時では、２０〜１２０ｒｐｓの範囲で運転回転数を変更可能で、回転数の増加に伴って冷媒回路の冷媒循環量が増加する。圧縮機３の回転数は、室内温度センサー１２によって得られる現在の室内温度Ｔａと、ユーザがリモコン１３を使って指示した設定温度Ｔｓとの温度差ΔＴに応じて、室外側制御装置１０ａが制御している。温度差ΔＴが大きいと圧縮機３を高回転で運転し、冷媒循環量を増加させる。
【００３３】
室内送風ファン９の回転数も複数段階に変更（切換え）可能であり、この室内機１では、冷房や暖房の通常運転時に、強風、中風、弱風とその回転数が３段階に切換え可能なタイプである。室内機１の風速設定が自動モードとされている場合では、圧縮機３と同様に、室内送風ファン９の回転数の切換えも、現在の室内温度Ｔａと設定温度Ｔｓの温度差ΔＴに応じて行われ、その温度差ΔＴが大きく、圧縮機が高回転数で運転されているときには、切換え可能な範囲で最も高い回転数である強風にて室内送風ファンが回転し、室内熱交換器７を通過する空気流の流量（風量）を最大とする。風速自動モードでは、室内送風ファン９の回転数は概ね圧縮機３の回転数と連動しており、圧縮機３が高回転であれば、室内送風ファン９も高回転である。
【００３４】
室内送風ファン９の回転数の切換えは、室内側制御装置１０ａが制御している。同様に室外送風ファン８も複数段階に回転数の切換えが可能であり、現在の室内温度Ｔａと設定温度Ｔｓの温度差ΔＴに応じて回転数の切換えが行われる。室外送風ファン８の回転数の切換えは、室外側制御装置１０ｂが制御している。また、四方弁４の冷媒流れ方向の切換えや、膨張弁６の開度も、室外側制御装置１０ｂが制御している。
【００３５】
室内機１には、室内送風ファン９が生成する空気流により、室内熱交換器７を通過し、その際に室内熱交換器７内を流れる冷媒と熱交換した（冷房運転ならば冷やされ、暖房運転ならば暖められた）調和空気が、室内に吹き出されるときに、その吹き出す風向を左右方向に変更可能とする左右風向板１５と、上下方向に変更可能とする上下風向板１６が設けられている。室内機１の風向設定が自動モードである場合には、左右風向板１５と上下風向板１６のそれぞれの向き（角度）、すなわち室内への吹き出し気流の風向は、室内側制御装置１０ａが制御する。
【００３６】
冷房運転では、四方弁４が実線で示すような冷媒回路に切換えられ、圧縮機３から吐出された高温高圧のガス冷媒は室外熱交換器５へ流入し、室外熱交換器５が凝縮器として動作する。室外送風ファン８の回転により生成される空気流が室外熱交換器５を通過する際に、冷媒と通過する屋外空気とが熱交換して、冷媒の凝縮熱が屋外空気に付与される。こうして冷媒は、室外熱交換器５で凝縮して高圧低温な液冷媒となり、次に膨張弁６で断熱膨張して低圧低温の二相冷媒となる。
【００３７】
続いて室内機１にて、冷媒は室内熱交換器７に流入し、室内熱交換器７が蒸発器として動作する。室内送風ファン９の回転で生じる空気流が室内熱交換器７を通過する際に、冷媒と通過する室内空気とが熱交換して、冷媒が室内空気から蒸発熱を奪って蒸発し、通過する室内空気は冷却される。冷媒は、室内熱交換器７にて蒸発して低温低圧な冷媒となり、圧縮機３で再び高温高圧な冷媒に圧縮される。冷房運転ではこのサイクルが繰り返される。
【００３８】
四方弁４を点線で示すような回路に切換えれば、冷媒は冷房運転時と逆方向に流れ、室内熱交換器７を凝縮器、室外熱交換器５を蒸発器として動作させ、室内熱交換器７を通過する室内空気に凝縮熱を与えて暖め、暖房運転となる。
【００３９】
図２は空気調和機１００の室内機１の模式的な縦断面図であり、室内機１本体の左右方向の略中央での縦断面である。この室内機１は、室内の壁面の天井に近い上部に据付けられる壁掛けタイプのもので、左右方向が長手方向となるような略長方体の筐体２０の内部に室内熱交換器７や室内送風ファン９を収納している。筐体２０の前面側（正面）には、上下方向に回動して開閉可能な正面意匠パネル１７が取り付けられている。
【００４０】
図２に示すように、筐体２０の上面には、室内送風ファン９の回転で生じる空気流の室内機１への入口となる吸込口１８が形成され、筐体２０の下部には、その空気流への出口となる吹出口１９が、室内機１本体の左右方向を長手方向とする細長い形状で形成されている。吸込口１８から吹出口１９に至る風路の途中に、空気流でいうと上流側に室内熱交換器７、下流側に室内送風ファン９が配置される。室内送風ファン９は、クロスフローファンの回転軸線が室内機１本体の左右方向となるように水平に設置され、その室内送風ファン９の上流側を囲うように、フィンアンドチューブ型の室内熱交換器７が設置される。そして、吸込口１８と室内熱交換器７の間には、エアフィルター２１が設置されている。また、図２には図示していないが、室内機１には、室内温度Ｔａを検出する室内温度センサー１２が取り付けられている。
【００４１】
リモコン１３からの空気調和機１００の運転開始指示をリモコン受信部１４が受け取ると、制御装置１０は空気調和機１００の各種機器の制御を開始し運転が始まる。室内機１においては、室内送風ファン９が回転を始める。室内送風ファン９の回転により、筐体２０上面の吸込口１８から室内機１本体（筐体２０）の内部に吸い込まれ、筐体２０下部の吹出口１９から吹き出される室内空気の空気流が生成される。また、室外機２にて圧縮機３も運転が開始され、冷媒回路を冷媒が循環し冷凍サイクルが稼動状態になる。同時に室外送風ファン８も回転を始める。
【００４２】
室内機１において、吸込口１８から吸い込まれた室内空気は、まずエアフィルター２１を通過するが、その時に、吸い込み空気中に含まれている塵埃等がエアフィルター２１で除去される。そしてその下流側に位置する室内熱交換器７を通過する際に、室内熱交換器７内を流れる冷媒と熱交換する。冷房運転であれば、室内熱交換器７が蒸発器として作用し、通過する室内空気は冷媒に蒸発熱を奪われることで冷やされ、暖房運転であれば、室内熱交換器７が凝縮器として作用し、通過する室内空気は冷媒から凝縮熱を付与されることで暖められる。
【００４３】
室内熱交換器７で冷媒と熱交換した室内空気は調和空気となって、室内送風ファン９の送風作用によりクロスフローファンである室内送風ファン９を横断して、吹出口１９へと導かれ、そのまま吹出口１９から室内へと吹き出される。室内送風ファン９から吹出口１９に至る風路の途中に左右風向板１５、吹出口１９に上下風向板１６が設置されており、調和空気は、左右風向板１５によって左右方向の風向、上下風向板１６によって上下方向（天井−床方向）の風向が調整されて、吹出口１９から吹き出される。
【００４４】
空気調和機１００の運転中は、リモコン１３によるユーザの運転内容の指示に基づき、制御装置１０が室内機１および室外機２の各種機器を制御している。制御装置１０は、例えば室内温度センサー１２が検出（測定）する現在の室内温度Ｔａが、ユーザがリモコン１３を使って指示する設定温度Ｔｓに早く到達し、到達したならばその温度の状態が維持されるように、圧縮機３の回転数、膨張弁６の開度、室外送風ファン８と室内送風ファン９の回転数などを制御する。
【００４５】
図３は、この空気調和機１００の制御装置１０を中心とする構成ブロック図である。制御装置１０は、マイクロコンピュータ２２（以下、マイコン２２と呼ぶ）を有し、マイコン２２には、入力回路２３、演算回路２４、出力回路２５が組み込まれている。入力回路２３は、リモコン１３からの運転入切、運転モード、設定温度Ｔｓ、風量（風速）や風向の設定（自動モードを含む）などの指示信号や、室内温度センサー１２からの現在の室内温度Ｔａの検出信号を受け取って、これらを演算回路２４へ提供する。リモコン１３の指示信号は実際には、室内機１本体側のリモコン受信部１４が中継ぎして入力回路２３へ入力される。
【００４６】
演算回路２４は、各種の制御設定値（予め設定されている閾値、条件値や定数）やプログラムが記憶されているメモリ２６と、演算処理や判断処理が行われるＣＰＵ２７と、を備える。演算回路２４では、入力回路２３から提供された情報を用い、メモリ２６とＣＰＵ２７が協働して、演算、判断処理の最終結果を次の出力回路２５へ提供する。出力回路２５は受け取った最終結果に従って各種機器に制御信号を出力する。例えば、圧縮機３や室内送風ファン９に回転数の制御信号や、左右風向板１５や上下風向板１６の回動角度の信号を出力する。
【００４７】
前述のとおり、この空気調和機１００は、室内機１と室外機２にそれぞれ制御装置１０ａ、１０ｂを備えているが、これらは室内外連絡ケーブル１０ｃを介して相互に情報をやり取りし、室内機１、室外機２のそれぞれが有する各種機器を運転制御しているので、ここでは、便宜上、制御装置１０ａ、１０ｂを合わせて制御装置１０とみなしている。実際には、制御装置１０ａ、１０ｂのそれぞれがマイコン２２を有し、例えばメモリ１６が記憶している制御設定値等は異なっている。なお、室内機１か室内機２のどちらか一方にのみ制御装置１０を搭載し、その制御装置１０が室内機１、室外機２のそれぞれが有する各種機器の運転を制御するようにしてもよい。
【００４８】
次に、図４はこの空気調和機１００の制御ブロック図であり、図３における演算回路２４の機能のなかで、圧縮機３と室内送風ファン９の回転数制御に係わる部分に特化して示している。演算回路２４内に図示される各構成要素は、実際に図のようにそれぞれ独立して存在しているわけではなく、説明のために制御内容を機能的に区分けしたものであり、それぞれが演算回路２４の保有する一連の制御プログラムに組み込まれているものである。
【００４９】
リモコン１３からの指示信号を室内機１本体の前面側に設置されているリモコン受信部１４が受信し、その信号がマイコン２２の入力回路２３を経て、演算回路２４内でまず受信内容解析部２８に伝わり、ここで指示内容が解析される。解析された情報のうち、設定温度Ｔｓが温度差算出部３０に伝えられる。設定温度Ｔｓは、ここではユーザが希望する室内温度であり、ユーザがリモコン１３にて、例えば２８℃というようにセ氏温度で設定ができる。
【００５０】
一方、室内機１本体に取り付けられた室内温度センサー１２の検出信号は、入力回路２３を経て、演算回路２４内でまず室内温度換算部２９に伝わり、ここで電気信号から温度データに変換され、現在の室内温度データとなる。そして、この現在の室内温度Ｔａが温度差算出部３０に伝えられる。
【００５１】
温度差算出部３０では、室内温度換算部２９から届いた現在の室内温度Ｔａと受信内容解析部２８から届いた設定温度Ｔｓとの温度差ΔＴが算出される。受信内容解析部２８が解析した運転モードの情報が冷房運転であれば、温度差ΔＴ＝Ｔａ−Ｔｓにて算出される。そして、温度差算出部３０で算出された温度差ΔＴは、圧縮機３の運転を制御する圧縮機制御部３１と室内送風ファン９の運転を制御する室内送風ファン制御部３２にそれぞれ伝達される。
【００５２】
圧縮機制御部３１では、温度差算出部３０からの温度差ΔＴに応じて圧縮機３の回転数を制御する。冷房運転において、ΔＴ＞０であれば圧縮機３を起動し、圧縮機３の回転数を予め定められたスピードで段階的に上昇させていく。ΔＴの大きさに応じて最大で圧縮機３を許容最大回転数（ここでは１２０ｒｐｓ）まで上昇させ、冷凍サイクルの冷媒循環量を増して冷房能力を高める。冷房効果により、室内温度が低下し始めると、すなわち温度差ΔＴ（＞０）が減少傾向を示するようになると、圧縮機制御部３１は、ΔＴの大きさに準ずるように圧縮機３の回転数を減少させていく。ΔＴがゼロ近傍（ただしΔＴ＞０）では、許容最小回転数（ここでは２０ｒｐｓ）にて圧縮機３を運転する。
【００５３】
そして、温度差算出部３０からの温度差ΔＴが０以下（ΔＴ≦０）となると、圧縮機制御部３１は、過冷房防止のために圧縮機３の運転を停止し、当該空気調和機１００を、上記の背景技術の欄で述べたような圧縮機停止状態にする。温度差ΔＴが再びΔＴ＞０となれば、圧縮機制御部３１は、圧縮機３を再起動させ、温度差ΔＴに応じて圧縮機３の回転数を制御する。なお、圧縮機３の短時間での頻繁なる運転停止と再起動の繰り返しを避けるために、上記の背景技術の欄で述べたのと同様な圧縮機再起動の規制制御をこの圧縮機制御部３１も行う。
【００５４】
受信内容解析部２８が解析した風速設定の情報が自動モードであれば、室内送風ファン制御部３２も、圧縮機制御部３１と同様に温度差算出部３０からの温度差ΔＴに応じて室内送風ファン９の回転数の切換え制御を行う。ΔＴが大きいときは強風として最大風量となる空気流を生成し、ΔＴの減少に追従して、中風、弱風と順に切換えて風量を減少させていく。もし、風速設定の情報が、特定の風量を指定するものであれば、その設定を優先して、温度差ΔＴに応じた切換えを行わないで、例えば強風を指定する風速設定情報であれば、温度差ΔＴに関係なく、強風で室内送風ファン９を回転させる。
【００５５】
風速設定が自動モードの場合、圧縮機３が運転状態にあれば、室内送風ファン制御部３２は、概ね圧縮機３の回転数に連動するように、室内送風ファン９を回転数制御している。圧縮機３が高回転で運転中は、室内送風ファン９を強風として最大風量で回転させ、圧縮機３の回転数低下に伴って、中風、弱風と切換えて風量を低下させていく。温度差ΔＴがメモリ２６に格納されている比較的にゼロに近い条件値Ｘ（ただしＸ＞０）を下回ると、すなわちΔＴ＜Ｘとなると、室内送風ファン制御部３２は、室内送風ファン９を弱風として最小風量で運転する。圧縮機制御部３１により圧縮機３が許容最小回転数で運転しているときには、室内送風ファン９は弱風で運転される。
【００５６】
ここで従来の室内送風ファン制御部では、ΔＴ≦０で圧縮機停止状態のときであっても、空気調和機が運転入状態であれば、圧縮機３の運転時と同じアルゴリズムに基づいて室内送風ファン９の回転数の切換え制御を行うようになっていた。そのため、ΔＴ≦０で圧縮機停止状態にあるということは、上記した条件値Ｘがゼロより大であることから、ΔＴ≦Ｘの条件を満たすこととなり、圧縮機停止状態では、室内送風ファン９を最小風量の弱風で運転していた。もしくは、圧縮機停止状態では、圧縮機３の運転停止と同時に室内送風ファン９の回転を停止させるものであった。
【００５７】
この実施の形態１に示す空気調和機１００は、室内送風ファン制御部３２に従来技術にはない固有な特徴を有している。図４に示すように、室内送風ファン制御部３２には、圧縮機３が運転中の室内送風ファン９の回転数制御を行う圧縮機運転状態時制御部３３と、この圧縮機運転状態時制御部３３のアルゴリズムとは別なアルゴリズムを有して、ΔＴ≦０で圧縮機停止状態時の室内送風ファン９の回転数制御を行う圧縮機停止状態時制御部３４とが存在する。すなわち、この室内送風ファン制御部３２は、圧縮機停止状態では、圧縮機３の運転時と同じアルゴリズムに基づいて室内送風ファン９の回転数を決定するのではなく、圧縮機３の運転時（圧縮機運転状態時）とは異なるアルゴリズムに基づいて圧縮機停止状態における室内送風ファン９の回転数を決定するのである。
【００５８】
このように、この空気調和機１００の室内送風ファン制御部３２は、冷房運転時、温度差算出部３０から温度差ΔＴ（ΔＴ＝Ｔａ−Ｔｓ）を受け取り、ΔＴ＞０であれば、圧縮機３が運転中であると判断し、圧縮機運転状態時制御部３３によって室内送風ファン９の回転数を制御し、ΔＴ≦０であれば、圧縮機停止状態であると判断して、圧縮機停止状態時制御部３４により室内送風ファン９の回転数を制御する。
【００５９】
なお、圧縮機３が運転中（圧縮機運転状態）であるか、圧縮機停止状態であるかを、上記のように温度差算出部３０からの温度差ΔＴに基づいて、室内送風ファン制御部３２自身が判断するようにはしないで、圧縮機制御部３１から圧縮機３が運転中であるか、圧縮機停止状態であるかの情報を受け取るように構成してもよい。
【００６０】
次に、室内送風ファン制御部３２が行う室内送風ファン９の具体的な回転数制御の内容について図５乃至図７により詳細に説明する。
【００６１】
図５は、この空気調和機１００の冷房運転時における室内送風ファン９の制御動作概念を示す説明用概念図で、言い換えれば、室内送風ファン制御部３２の制御内容の説明用概念図であり、横軸に現在室内温度Ｔａと設定温度Ｔｓとの温度差ΔＴ（ΔＴ＝Ｔａ−Ｔｓ）、縦軸に室内送風ファン９の運転回転数を示している。また、図６および図７は、この空気調和機１００の冷房運転時における室内送風ファン９の制御内容を示すフローチャートであり、言い換えれば、室内送風ファン制御部３２の制御内容のフローチャートとなるが、一部、圧縮機制御部３１の制御内容をも含んでいる。
【００６２】
図５において、横軸の温度差ΔＴは、矢印が示す右側に向かうほど大きくなる。温度差ΔＴ＝０を示す点線Ｌ０より右側でΔＴ＞０となる領域が、圧縮機運転状態であり、圧縮機３が運転されていて冷凍サイクルが稼動している状態である。この領域においては、室内機１の吹出口１９からは、室内熱交換器７で冷媒と熱交換して冷やされた室内空気が冷気となって吹き出されている。そして、点線Ｌ０より左側でΔＴ≦０となる領域が、過冷房防止のための圧縮機停止状態を示している。
【００６３】
これより、図６および図７のフローチャートと図５の動作概念図とを互いに関連させながら説明をしていく。図６において、空気調和機１００に対してユーザからの冷房運転開始指令により冷房運転がスタートすると、ステップＳ１で、制御装置１０、具体的には圧縮機制御部３１および室内送風ファン制御部３２が、温度差算出部３０から温度差ΔＴ（ΔＴ＝現在室内温度Ｔａ−設定温度Ｔｓ［℃］）を取り込み（図４参照）、続くステップＳ２にて、圧縮機制御部３１が、取り込んだその温度差ΔＴが０より大きいか否かの条件判断を行う。
【００６４】
ここで温度差ΔＴがΔＴ＞０℃であればＹＥＳとなって、ステップＳ３に進み、圧縮機制御部３１が圧縮機３を起動させ、圧縮機３を運転状態にする。図５において、点線Ｌ０よりも右側の領域がその対象となる。なお、ステップＳ１における温度差ΔＴの取り込みが、冷房運転スタートから２回目以降で、すでに圧縮機３が運転状態にある場合には、ステップＳ３では、圧縮機制御部３１は圧縮機３の運転状態を継続させる。ステップＳ２において、ΔＴ＞０℃でない場合には（ＮＯとなれば）、ステップＳ９に進み、圧縮機制御部３１は、圧縮機３の停止状態を継続させ、（ア）を経由して図７のステップＳ１０へと進むが、その説明は後述する。なお、冷房運転スタート後、最初にステップＳ１で取り込んだΔＴが、ステップＳ２にてΔＴ＞０℃でない場合（ＮＯとなる場合）とは、冷房運転の指令がユーザによりなされた時点で、現在の室内温度Ｔａが、設定温度Ｔｓ以下であることを意味する。
【００６５】
なお、温度差ΔＴの単位として、ｄｅｇを用いてもよいが、ここでは現在の室内温度Ｔａも設定温度Ｔｓも単位に℃を使用しているので、温度差ΔＴも℃を用いるものとする。また、図６および図７は、室内送風ファン９の制御内容を説明するためのものであるので、圧縮機制御部３１による圧縮機３の回転数制御に関する処理手順については省略している。
【００６６】
ステップＳ３で圧縮機３が運転状態となったら、もしくは、運転状態であったら、続いてステップＳ４において、室内送風ファン制御部３２が、ステップＳ１で取りこんだ温度差ΔＴが３℃以上か否かの条件判断を行う。温度差ΔＴがΔＴ≧３℃であればＹＥＳとして、ステップＳ５に進んで、室内送風ファン制御部３２は室内送風ファン９を強風として最大風量で回転させ、再びステップＳ１に戻って、再び温度差ΔＴを取り込み、ステップＳ２以降の条件判断が再び行われる。ここで、このステップＳ５の状態が、図５においてａで示されている区間であり、ΔＴ＞０の圧縮機運転状態にて、区間ａはここではΔＴ≧３℃となる範囲を表していて、室内送風ファン９の回転数（風量）は最大風量となる強風である。
【００６７】
ステップＳ４において、ΔＴ≧３℃でなければＮＯとなって、ステップＳ６へと進む。ステップＳ６では、室内送風ファン制御部３２が、Ｓ１で取り込んだ温度差ΔＴが、１．５℃≦ΔＴ＜３℃であるか否かの条件判断を行う。その温度差ΔＴが１．５℃≦ΔＴ＜３℃であれば、ステップＳ７に進んで、室内送風ファン制御部３２は室内送風ファン９を、強風より回転数が低い中風で回転させ、再びステップＳ１に戻る。ここで、このステップＳ７の状態が、図５においてｂで示されている区間であり、圧縮機運転状態にて、区間ｂはここでは１．５℃≦ΔＴ＜３℃となる範囲を表していて、室内送風ファン９の回転数（風量）は中風である。
【００６８】
ステップＳ６において、１．５℃≦ΔＴ＜３℃でなければ、ステップＳ８に進み、室内送風ファン制御部３２は室内送風ファン９を、中風よりさらに回転数が小さい弱風として最小風量で回転させ、再びステップＳ１に戻る。ここで、このステップＳ８の状態が、図５においてｃで示されている区間であり、圧縮機運転状態において、区間ｃはここでは０℃＜ΔＴ＜１．５℃となる範囲を表していて、室内送風ファン９の回転数（風量）は最小風量となる弱風である。
【００６９】
圧縮機運転状態が続けば、室内温度Ｔａは徐々に低下し、温度差ΔＴも小さくなっていく。室内送風ファン９の回転数も強風から中風、そして弱風へと切り換わっていく。そうなると、ステップＳ１乃至Ｓ８のサイクルが繰り返されていると、いずれステップＳ２にて、ＮＯとなる、すなわちΔＴ≦０℃となるときがくる。その場合には、ステップＳ９へ進んで、圧縮機制御部３１によって、運転している圧縮機３を停止し、過冷房防止のための圧縮機停止状態へと移行する。その後は、図６における（ア）となって、図７のステップＳ１０に進むことになる。
【００７０】
このような図６に示す圧縮機運転状態における室内送風ファン９の回転制御に係る処理手順であるステップＳ４乃至Ｓ８は、室内送風ファン制御部３２においては、圧縮機運転状態時制御部３３が担っている。前述した圧縮機運転状態で室内送風ファン９の回転数を弱風とするΔＴの条件値Ｘが、図６においては、１．５℃ということである。なお、図６に示す温度差ΔＴの各条件値は一つの実施例に過ぎず、ここに示す値に限定されるものでない。条件値は適宜設定可能なものである。
【００７１】
また、ステップＳ２において、圧縮機３の起動の条件値として、ΔＴ＞０℃とせずに、例えば、ΔＴ＞−０．５℃やΔＴ＞−１℃などのように、０よりも所定値だけ小さい値を用いてもよい。これは、言い換えれば、過冷房防止のための圧縮機停止状態にする条件として、現在の室内温度Ｔａが設定温度Ｔｓ以下とするのではなく、設定温度よりも所定温度幅（例えば、上記であれば０．５℃や１℃）だけ低い基準温度Ｔｂ以下とすることである。そのような場合では、図５における点線Ｌ０は、ΔＴ＝−０．５やΔＴ＝−１を示すこととなる。
【００７２】
またここで、圧縮機運転状態におけるステップＳ５での室内送風ファン９の回転数を強風とするとき、同じくステップＳ７で中風とするとき、ステップＳ８で弱風とするときであるが、室内送風ファン９が停止の（回転数ゼロの）状態から、強風もしくは中風もしくは弱風にするような場合であっても、すでにステップＳ１乃至Ｓ８のサイクルが繰り返されていて、回転中の室内送風ファン９を、弱風から中風へ、もしくは中風から強風へ、もしくは弱風から強風へと回転数を増加させる場合、または、強風から中風へ、もしくは中風から弱風へ、もしくは強風から弱風へと回転数を低下させる場合であっても、その目標とする回転数まで一気に増加もしくは低下させるようにしている。これは、圧縮機３の回転数制御にすばやく追随して冷房能力の増加もしくは低減を敏速に実現させるためである。
【００７３】
ここで、この空気調和機１００の室内機１においては、室内送風ファン９の回転数を強風で９２０ｒｐｍとして、中風で７８０ｒｐｍ、弱風では６１０ｒｐｍとしている。もちろん、この回転数は一つの実施例に過ぎず、ここに示す値に限定されるものではなく、適宜設定可能なものである。
【００７４】
図７は、本発明の実施の形態１を示す空気調和機１００の特徴部分となる室内送風ファン制御部３２における圧縮機停止状態時制御部３４の工程を示すフローチャートである。すなわち、圧縮機停止状態での室内送風ファン９の回転数制御に関わるフローチャートであり、図７に示すように、従来と異なり、この空気調和機１００では、過冷房防止のための圧縮機停止状態においても、温度差ΔＴに応じた室内送風ファン９の回転数制御を行うことを特徴としている。
【００７５】
図６に示すフローチャートにおいて、ステップＳ２でＮＯである場合、すなわち、ユーザから冷房運転開始の指令があったが、現在の室内温度Ｔａが設定温度Ｔｓ以下であり、圧縮機３を起動させないとき、もしくは、現在の室内温度Ｔａが設定温度Ｔｓ（もしくは基準温度Ｔｂ）以下となって、ステップＳ３で運転状態にあった圧縮機３を停止させ、圧縮機停止状態となったときには、従来の空気調和機であれば、ΔＴ＞０となり圧縮機３が起動もしくは再起動するまでの間、最小風量である弱風で一定して室内送風ファン９を回転させるか、もしくは室内送風ファン９の回転を停止していた。
【００７６】
しかし、この空気調和機１００では、冷房運転におけるそのようなΔＴ≦０のときには、図７に示すステップＳ１０へと進み、室内送風ファン制御部３２が、ステップＳ１で取りこんだ温度差ΔＴが、−１℃＜ΔＴ≦０℃であるか否かの条件判断を行う。その温度差ΔＴが−１℃＜ΔＴ≦０℃であれば、ステップＳ１１に進み、室内送風ファン制御部３２は、室内送風ファン９の回転数を弱風＋α（ただしα＞０）として回転させ、（イ）を経由して図６のステップＳ１に戻る。このステップＳ１１の状態が、図５においてＡで示されている区間であり、圧縮機停止状態において、区間Ａはここでは−１℃＜ΔＴ≦０℃となる範囲を表しており、室内送風ファン９は、弱風よりαだけ高い回転数で回転する。
【００７７】
ステップＳ１０にて、−１℃＜ΔＴ≦０℃でなければ、ステップＳ１２へと進み、ステップＳ１で取り込んだ温度差ΔＴが、−２℃＜ΔＴ≦−１℃であるか否かの条件判断を、室内送風ファン制御部３２が実施する。その温度差ΔＴが−２℃＜ΔＴ≦−１℃であれば、ステップＳ１３へ進み、室内送風ファン制御部３２は室内送風ファン９の回転数を弱風＋β（ただしα＞β＞０）として回転させ、ステップＳ１に戻る。このステップＳ１３の状態が、図５においてＢで示されている区間であり、圧縮機停止状態において、区間Ｂはここでは−２℃＜ΔＴ≦−１℃となる範囲を表しており、室内送風ファン９は、弱風よりβだけ高い回転数で回転する。βはステップＳ１１におけるαよりも小さい。
【００７８】
ステップＳ１２にて、−２℃＜ΔＴ≦−１℃でなければ、ステップＳ１４へと進み、Ｓ１で取り込んだ温度差ΔＴが、−３℃＜ΔＴ≦−２℃であるか否かの条件判断が室内送風ファン制御部３２によって行われる。その温度差ΔＴが−３℃＜ΔＴ≦−２℃であれば、ステップＳ１５に進み、室内送風ファン制御部３２は室内送風ファン９の回転数を弱風＋γ（ただしβ＞γ＞０）として回転させ、ステップＳ１に戻る。このステップＳ１５の状態が、図５においてＣで示されている区間であり、圧縮機停止状態において、区間Ｃはここでは−３℃＜ΔＴ≦−２℃となる範囲を表しており、室内送風ファン９は、弱風よりγだけ高い回転数で回転する。γはステップＳ１３におけるβよりも小さい。
【００７９】
ステップＳ１４にて、−３℃＜ΔＴ≦−２℃でなければ、ステップＳ１で取り込んだ温度差ΔＴが−３℃以下（ΔＴ≦−３℃）ということであり、ステップＳ１６に進み、室内送風ファン制御部３２は室内送風ファン９の回転数を弱風とする。そして、ステップＳ１へ戻る。このステップＳ１６の状態が、図５においてＤで示されている区間であり、圧縮機停止状態において、区間ＤはここではΔＴ≦−３℃となる範囲を表しており、室内送風ファン９は、弱風の回転数で回転する。
【００８０】
（イ）を経由して、図６のステップＳ１へと戻り、続くステップＳ２において、ステップＳ１で取り込んだ温度差ΔＴが、ΔＴ＞０℃となれば、ステップＳ３へと進み、圧縮機３を起動させ、圧縮停止状態を終了し、圧縮機運転状態へと移行する。
【００８１】
図７に示す圧縮機停止状態における室内送風ファン９の回転制御に係る処理手順であるステップＳ１０乃至Ｓ１６は、室内送風ファン制御部３２において、圧縮機停止状態時制御部３４が担っている。なお、図７に示す温度差ΔＴの各条件値は一つの実施例に過ぎず、ここに示す値に限定されるものでない。条件値は適宜設定可能なものである。また、図５にて区間Ａ〜Ｄに示すように、圧縮機停止状態での室内送風ファン９の回転数を４段階に切換えるようにしているが、この段階数も４段階に限るものではなく、複数段階であれば、適宜設定可能である。さらに、この複数段階をより細かくして段階数を無限とする形として連続的に変化させるようにしてもよい。
【００８２】
図５の点線ＬＯから左側に示されるΔＴ≦０の圧縮機停止状態の領域、および図７のフローチャートが示すように、この空気調和機１００では、過冷房防止のための圧縮機停止状態において、温度差ΔＴの大きさに応じて、室内送風ファン９の回転数を変化させている。そして、その回転数は、圧縮機３の運転状態すなわちΔＴ＞０℃にて、ΔＴが０に近い条件値Ｘ未満のときの回転数で最小風量となる弱風を最小回転数として、ΔＴ≦０においてΔＴが大きいほど、すなわちΔＴが負から０に近づくほど、段階的に高いものである。
【００８３】
図５に示すように、圧縮機停止状態における室内送風ファン９の回転数は、圧縮機停止状態へ移行する判断基準線である点線Ｌ０（ここではΔＴ＝０である）に最も近い区間Ａがいちばん高く、弱風＋αであり、最も遠い区間Ｄがいちばん低く、この区間Ｄが、圧縮機運転状態において点線Ｌ０に最も近い区間ｃと同じ弱風である。区間ＡとＤの間は、その間の回転数を補うように区間Ａに隣接する区間Ｂと、区間Ｄに隣接する区間Ｃの２区間を介在させ、区間ＡからＤに向けて、すなわち温度差ΔＴが低下する方向に、段階的に回転数を減少させるようになっている。
【００８４】
なお、この空気調和機１００では、圧縮機停止状態での最小回転数（最小風量）は区間Ｄの弱風で、これは圧縮機運転状態における区間ｃの最小回転数と同じとしているが、圧縮機運転状態の最小回転数よりも低い回転数、すなわち弱風−ε（ε＞０）としてもよい。
【００８５】
圧縮機運転状態において、その冷房効果で温度差ΔＴが小さくなっていき、ステップＳ９で、運転中の圧縮機３を停止して圧縮機停止状態になった場合では、現在の室内温度Ｔａが急激に低下することがないので、大概において、圧縮機停止状態になって最初の条件判断となるステップＳ１１で条件に該当する（ＹＥＳとなる）こととなり、室内送風ファン９は、圧縮機３の運転停止前の弱風から弱風＋αと、回転数が高まる、すなわち風量が増加することになるのである。
【００８６】
これは、圧縮機停止状態となって冷凍サイクル内の冷媒循環が停止され、室内機１の吹出口１９からは、室内熱交換器９で冷やされた冷気が出なくなるので、冷気が出なくなったことによるユーザの体感温度の上昇分を、風量の増加で補って、ユーザが急に暑さを感じてしまうことがないようにするためである。
【００８７】
圧縮機運転状態の最小風量である弱風で圧縮機停止状態の間は一定して継続回転させていた従来では、圧縮機３の運転状態から過冷房防止のための圧縮機停止状態に移行すると、吹出口１９から吹き出される空気流の吹き出し風量（風速）は変わらずに、その空気流が、冷媒と熱交換した冷気であったものが、現在の室内温度Ｔａとほぼ変わらない温度のものに変化することになる。そのため、圧縮機停止状態に入ると、ユーザが急に暑さを感じてしまうようなことが起こり得たのである。
【００８８】
しかし、上記のとおり、この空気調和機１００では、そのような状況においては、吹出口１９からの吹き出し風量を、圧縮機３の停止直前の回転数よりもα回転数だけ増加させるので、風量増によりユーザの体感温度の上昇を抑えることができるのである。ここで、図８は、体感温度を２５℃とする場合の室内温度と風速の関係を示す等体感温度線図であり、横軸は室内温度を、縦軸はユーザと見立てる人体の近傍の風速を示している。
【００８９】
体感温度とは、人体（ユーザ）が感じているであろう暑さや寒さの度合を定量的に算出して表すものであり、被空調空間の室内温度だけでなく、風速、湿度、壁や天井などからの輻射温度、人体の着衣の熱抵抗を示す着衣量、人体の代謝量といった要素によって決まることがよく知られている。体感温度は、新標準有効温度（ＳＥＴ）の快適性指標など複数の快適性評価方法により算出が可能となっている。図８の曲線が示す等体感温度２５℃ラインは、上記のＳＥＴの快適性指標に基づき、輻射温度を室内温度と同一、相対湿度７０％、着衣量を夏季の一般的服装として０．６ｃｌｏ、人体の代謝量を５８．２ｗ／ｍ２として、室内温度と風速をパラメータとして、体感温度２５℃となる等体感温度曲線（ライン）を算出し図示したものである。
【００９０】
図８の等体感温度２５℃ラインが示すように、室内温度が高くなっても、その上昇分に見合うだけ風速を高めれば、体感温度を同じにすることができるのである。なお、風速を高めるとは、これがクロスフローファンである室内送風ファン９であれば、回転数を高めることであり、すなわち風量を増加させることである。
【００９１】
そこで、この空気調和機１００では、図５において、圧縮機運転状態の区間ｃから圧縮機停止状態の区間Ａに移行する際に、室内送風ファン９の回転数をα回転数だけ増加させることで、吹出口１９から吹き出される空気流が、冷気から室内温度とほぼ同等な温度の空気に変わることによるユーザの体感温度の上昇を風量（風速）の増加で抑制し、圧縮機停止状態になっても、ユーザが急に暑さを感じてしまうことがなく、増加した風量によって適度な冷涼感が得られることで、ユーザの快適性を確保することができる。
【００９２】
このように、圧縮機停止状態のユーザの快適性が確保できることにより、圧縮機停止状態中にユーザが暑さを感じて、設定温度を下げてしまうといった行為を回避でき、設定温度を下げることによって圧縮機３の運転時間を余計に発生させてしまうことなく、消費電力量の増加を未然に防ぐことができる。冷房運転時に節電効果が高い過冷房防止のための圧縮機停止状態を、ユーザの設定温度を下げるという行為に結びつけることなく、効果的に利用することとなって、空気調和機１００は節電に大きく貢献することができるのである。
【００９３】
また、言い換えれば、圧縮機停止状態のユーザの快適性が確保できることから、今までの設定温度よりも高い設定温度とすることができるようになる。圧縮機停止状態であっても、吹き出し空気流の風量（風速）を増加させて、体感温度として、高めた設定温度幅に相当する程度の冷涼感が得られることになるので、例えば、今までユーザが２６℃と設定していた設定温度を、２７℃や２８℃へと高めることができ、設定温度の上昇により、大きな節電効果が得られることになる。
【００９４】
この空気調和機１００では、制御装置１０が、冷房運転中に、室内温度センサー１２が検出した現在の室内温度Ｔａが設定温度Ｔｓ以下となる、もしくは現在の室内温度Ｔａが設定温度Ｔｓよりも所定の温度幅だけ低い基準温度Ｔｂ以下となると、すなわち温度差ΔＴ≦０となると、圧縮機３の運転を停止して圧縮機停止状態に移行させるとともに、この圧縮機停止状態への移行に際して、室内送風ファン９の回転数を、この移行が行われる直前の圧縮機３が運転状態の時の回転数（ここでは弱風）よりも所定数（ここではα）だけ増加させることにより、圧縮機停止状態になっても、ユーザが急に暑さを感じてしまうことがなく、増加した風量による適度な冷涼感により、ユーザの快適性を確保することができるものである。
【００９５】
屋外の外気温度や日射量が大きく変化しない状況にあれば、圧縮機停止状態となった場合、冷凍サイクルの稼動停止により、冷気の吹き出しがなくなるので、壁や天井、窓からの輻射熱により室内温度は徐々に上昇し、ΔＴ＞０℃となって、圧縮機３が再起動されることになる。これは、図５において、圧縮機停止状態の区間Ａから圧縮機運転状態の区間ｃへの移行となるわけであるが、図５に示すとおり、室内送風ファン９の回転数は、弱風＋αから弱風へと低下することになる。
【００９６】
このように、圧縮機停止状態の快適性確保のために区間Ａで弱風＋αに風量を高めているが、温度差ΔＴが小さい区間ｃの圧縮機運転状態に移行して再び吹出口１９から冷気が吹き出されるようになってからも、この高めた風量（弱風+α）を維持することなく弱風に低下させることで、温度差ΔＴが小さい、すなわち冷房負荷が小さく圧縮機３が低回転数で運転されている状態で、必要以上に大きい回転数で室内送風ファン９を回転させてしまうことを避けることができる。圧縮機３の回転数に、すなわち冷凍サイクルの冷媒循環量に見合った室内送風ファン９の回転数にすることができ、室内送風ファン９の無駄な電力消費を抑えられる。
【００９７】
さらに、室内送風ファン制御部３２は、圧縮機停止状態（ここではΔＴ≦０℃）においても、温度差ΔＴの大きさに応じて、ΔＴが小さくなる（負方向へ進む）ほど室内送風ファン９の回転数を最小回転数である弱風に向かって段階的に減少させている。日中、屋外の外気温度や日射量が大きく変化しない状況にあれば、冷気の吹き出しが止まっている圧縮機停止状態において、温度差ΔＴが低下していく、すなわち、現在の室内温度Ｔａが下がっていく状態は起こり難いが、夕方から夜間にかけて日射量が急激に低下する状況では、外気温度の低下や天井や壁、窓からの輻射熱の大幅な低下が生じて、現在の室内温度Ｔａが減少する状態も十分に起こり得る。
【００９８】
この空気調和機１００では、このような状態において、図５の点線Ｌ０より左側の圧縮機停止状態に示すとおり、圧縮機停止状態の間中ずっと室内送風ファン９を弱風＋αの回転数で回転させているのではなく、室内送風ファン制御部３２が、その室内温度Ｔａの低下、すなわち温度差ΔＴの低下に対応するように、圧縮機停止状態への移行に際して弱風＋αに高めた室内送風ファン９の回転数を、最小回転数（風量）である弱風に向けて段階的に減少させる制御を行うので、現在の室内温度Ｔａに見合った適度な空気流の風速をユーザが感じることができる。
【００９９】
このため、圧縮機停止状態の間に室内温度Ｔａが低下していくような状況において、圧縮機停止状態への移行にあたって弱風＋αに回転数を高めた室内送風ファン９の風速でユーザが徐々に肌寒さを感じるようになってしまうことはなく、現在の室内温度Ｔａに見合った適度な冷涼感を得ることができ、圧縮機停止状態の間に室内温度Ｔａが低下していくような状況にあっても、圧縮機停止状態でのユーザの快適性を確保することができる。
【０１００】
また、室内温度Ｔａの低下に応じて、室内送風ファン９の回転数を最小回転数（風量）である弱風に向けて減少させるので、圧縮機停止状態の間中ずっと弱風＋αの回転数で室内送風ファン９を回転させることに比べて、室内送風ファン９の回転駆動に消費する電力を節約できる。
【０１０１】
ここで、この空気調和機１００では、圧縮機停止状態における室内送風ファン９の回転数を、図５に示すように、最小風量である区間Ｄの弱風を含めて区間ＡからＤに４段階に切換えるようにしているが、区間Ａが最も大きい回転数で弱風＋α、区間Ｂが次いで大きく弱風＋β、次が区間Ｃで弱風＋γとなっており、α＞β＞γ＞０である。このα、β、γであるが、図８に示すような室内温度と風速をパラメータとした等体感温度ラインを参考とするなどして、室内温度Ｔａの変化に対して、なるべくユーザの体感温度が変化しないような風速となる回転数に設定するのが望ましい。
【０１０２】
この空気調和機１００では、αを１５０ｒｐｍとして、区間Ａでは室内送風ファン９の回転数を７６０ｒｐｍに上昇させている。回転数の増加により、送風に伴う騒音も増加することになるので、圧縮機停止状態においてユーザが送風に伴う騒音を不快に感じることがないようにするためにも、圧縮機停止状態における最大風量は、圧縮機運転状態における中風もしくは最小風量（弱風）と最大風量（強風）の平均程度以下とするのがよい。
【０１０３】
そして、βを１００ｒｍｐ、γを５０ｒｐｍとしており、区間Ｂが７１０ｒｐｍ、区間Ｃが６６０ｒｐｍであり、区間Ｄは弱風で、区間ｃと同じ６１０ｒｐｍとなっている。なお、圧縮機停止状態における室内送風ファン９の各回転数は、一つの実施例に過ぎず、ここに示す値に限定されるものでなく、切換えの段階数を含めて適宜設定可能なものである。
【０１０４】
このようにこの空気調和機１００では、圧縮機停止状態において、温度差ΔＴの低下に応じて室内送風ファン９の回転数を段階的に減少させているが、図７のフローチャートに従えば、その逆方向も成立する。すなわち、圧縮機停止状態において、温度差Δｔの上昇に応じて、すなわち現在の室内温度Ｔａの上昇に応じて室内送風ファン９の回転数を段階的に増加させるものである。
【０１０５】
例えば、朝方、日の出前もしくは直後の設定温度よりも室内温度が低い涼しい状況で冷房運転の開始が指示され、図６のステップＳ２でＮＯとなって、圧縮機３が起動されることなく最初から圧縮機停止状態に突入する場合に、太陽の上昇とともに日射量が増し、外気温度の上昇、天井や壁、窓からの輻射熱の増加が生じることで、圧縮機停止状態において、現在の室内温度Ｔａが上昇していくような状況が起こり得る。
【０１０６】
このような状況であっても、温度差ΔＴ≦０の範囲で、室内温度Ｔａが上昇し、ΔＴ＝０に向かって温度差ΔＴが上昇する場合に、そのΔＴの上昇に対応させて室内送風ファン９の回転数を増加させ、吹出口１９からの吹き出し風量を増加させるので、冷気を伴わないその吹き出し空気流により、ユーザは現在の室内温度Ｔａに見合った適度な冷涼感を得ることができ、圧縮機停止状態でのユーザの快適性を確保できる。このため、ユーザが設定温度より低い温度であるのにも関わらず室内温度上昇に暑さを感じ冷気を求めて設定温度を下げてしまうといった行為を回避することでき、圧縮機３の運転開始を早めることなく、節電に貢献することができる。
【０１０７】
冷房運転において、設定温度を１℃上昇させると約１０％の節電効果があると言われているが、この発明の実施の形態１に示す空気調和機１００のここまで説明したとおりの圧縮機停止状態における室内送風ファン９の制御を行うことで、圧縮機停止状態でのユーザの快適性を確保し、ユーザによる設定温度の低下を未然に防ぐことができる。そのため、設定温度の低下に伴う消費電力量の増加を阻止できるとともに、節電効果の大きい過冷房防止のための圧縮機停止状態を効果的に利用することができるので、省エネルギー、節電への貢献度が高い空気調和機を提供することができる。
【０１０８】
前述したとおり、冷房運転時に、過冷房防止のための圧縮機停止状態に入る条件判断として、現在の室内温度Ｔａが設定温度Ｔｓ以下ではなく、現在の室内温度Ｔａを常に設定温度以下に維持するために、設定温度Ｔｓよりも例えば０．５℃や１℃など所定の温度幅ｅ（ｅ＞０）だけ低いＴｓ−ｅなる基準温度Ｔｂ以下としてもよい。
【０１０９】
また、圧縮機停止状態への圧縮機３の停止、圧縮機停止状態からの圧縮機３の再起動の繰り返し頻度を低くするために、例えば、圧縮機停止状態に入るときの条件判断は、温度差Δｔ≦−０．５℃、圧縮機停止状態から圧縮機を再起動させるときの条件判断は、温度差ΔＴ≧０．５℃というように、２つの条件判断の条件値を異ならせて制御するようにしてもよい。
【０１１０】
同様に、圧縮機運転中の室内送風ファン９の回転数切換え制御について、圧縮機３の回転数が増加傾向にあるときと、減少傾向にあるときとで、すなわち室内送風ファン９の回転数を増加させるときと低下させるときで、回転数切換えに関わる温度差ΔＴの条件値を異なるように設定してもよい。
【０１１１】
また、前述のとおり、圧縮機運転状態では、冷房能力の増加もしくは低減を素早く実現させるために室内送風ファン９の回転数切換えに関して、目標とする回転数まで一気に変化させていたが、圧縮機停止状態においては、冷凍サイクル内を冷媒が循環しておらず室内熱交換器７で冷媒と熱交換するわけではないので、目標とする回転数にするとき、例えば、区間ｃの弱風から圧縮機停止状態に突入して区間Ａの弱風＋αに高めるときに、必ずしも一気に変化させる必要がない。
【０１１２】
そのため、この空気調和機１００では、圧縮機停止状態における室内送風ファン９の回転数切換えに関して、室内送風ファン制御部３２が、目標とする回転数まで一気に変化させないで、例えば毎秒１．５ｒｐｍで連続的にとか、１０秒毎に１２．５ｒｐｍずつ階段状になど、徐々に変化させるようにしている。これにより、ユーザが圧縮機停止状態における室内送風ファン９の回転数変化に、聴感上でも、吹き出し空気流が身体に当たる感じの上でも、急に変化したという違和感を持たれることがなく、圧縮機停止状態でのユーザの快適性をより高めることができる。
【０１１３】
圧縮機停止状態における室内送風ファン９の回転数切換えにあたって、室内送風ファン制御部３２による、目標とする回転数まで連続的もしくは階段状に徐々に変化させる制御は、図５において室内送風ファン９の回転数を区間ｃの弱風から圧縮機停止状態に突入して区間Ａの弱風＋αに高めるとき、その逆で、区間Ａの弱風＋αから圧縮機３が再起動して区間ｃの弱風に低下させるときも含まれる。なお、図５の圧縮機停止状態においては、この徐々に回転数を変化させる態様は示しておらず、圧縮機運転状態のときと同様な一気に変化させる態様の図示となっている。また、圧縮機運転状態においても、冷房能力の増加もしくは低減を素早く実現させることよりも、ユーザに室内送風ファン９の回転数の切換えに違和感を持たれないことを優先させて、室内送風ファン９の回転数切換えに際し、目標とする回転数まで連続的もしくは階段状に徐々に変化させる制御を取り入れてもよい。
【０１１４】
なお、図５や図６、図７のフローチャートを用いてここまで説明した室内送風ファン９の制御は、風速設定が自動モードになっている場合のものであり、ユーザがリモコン１３により例えば風速設定を弱風に指定していれば、制御装置１０（室内送風ファン制御部３２）は、これを優先して、圧縮機運転状態、圧縮機停止状態の如何に関わらず、常に弱風で室内送風ファン９を運転させる。
【０１１５】
さらに、風向設定が自動モードになっている場合、制御装置１０は、圧縮機停止状態の間中、左右風向板１５、上下風向板１６の少なくともどちらかをスイング動作させるように制御する。このように吹き出し空気流の風向をスイング動作させることで、室内にいるユーザに間欠的に吹き出し空気流が当たるようになり、空気流が当たっている状態と当たっていない状態が交互に訪れることによる気流刺激により、冷涼感を強く感じることができるようになって、圧縮機停止状態でのユーザの快適性をより高めることができる。
【０１１６】
また、左右風向板１５、上下風向板１６の両方をスイング動作させれば、室内のどこにユーザがいても、また複数のユーザが点在していても、室内にいるユーザのすべてに間欠的に吹き出し空気流を当てることができ、圧縮機停止状態でのユーザの快適性をより高めることができる。なお、ここで、スイング動作とは、左右風向板１５であれば、吹き出し空気流の風向を所定の角度範囲内で左右方向に往復させながら繰り返し変更させることであり、上下風向板１６であれば、吹き出し空気流の風向を同じく上下方向に往復させながら繰り返し変更させることである。
【０１１７】
また、室内機１本体の前面側に、例えばＬＥＤの点灯や点滅等により、圧縮機停止状態であることを示す表示部を設置して、この表示部の表示により、過冷房防止のために圧縮機停止状態であることをユーザに伝えるようにしてもよい。
【０１１８】
なお、前述したが、圧縮機３が運転中（圧縮機運転状態）であるか、圧縮機停止状態であるかを、温度差算出部３０からの温度差ΔＴに基づいて、室内送風ファン制御部３２自身が判断するようにしていれば、圧縮機３の停止、すなわち圧縮機停止状態への移行とほぼ同時に、室内送風ファン９の回転数を、移行直前の圧縮機３が運転状態であった時の回転数（例えば、弱風）よりも増加（例えば弱風＋αに）させていくことができる。
【０１１９】
しかし、室内送風ファン制御部３２が、圧縮機制御部３１から圧縮機３が運転中であるか、圧縮機停止状態であるかの情報を受け取るように構成されている場合では、圧縮機制御部３１が室外側制御装置１０ｂに、室内送風ファン制御部３２が室内側制御装置１０ａに組み込まれていることが多く、圧縮機３が停止して圧縮機停止状態となった情報が、室外側制御装置１０ｂの圧縮機制御部３１から室内側制御装置１０ａの室内送風ファン制御部３２へ室内外連絡ケーブル１０ｃを介して伝えられることになるので、その通信に２、３秒程度の時間が掛かり、圧縮機３の停止、すなわち圧縮機停止状態への移行と同時には、室内送風ファン９の回転数を増加させていくことはできない。
【０１２０】
圧縮機３の停止から、室内外連絡ケーブル１０ｃを介した通信に掛かる２、３秒のタイムラグがあって、室内送風ファン９の回転数増加が始まる。このようなタイムラグがあっても、圧縮機停止状態への移行に際して、室内送風ファン９の回転数を増加させる、ということの技術範疇に入るものである。なお、圧縮機停止状態から圧縮機を起動させて圧縮機運転状態へと移行する場合についても同様で、室内外連絡ケーブル１０ｃを介した通信のためのタイムラグがあっても、圧縮機の起動に際して、室内送風ファン９の回転数を減少させる、ということの技術範疇に入るものである。
【０１２１】
実施の形態２．
図９は、この実施の形態２に係る空気調和機１１０の制御装置１０を中心とする構成ブロック図である。実施の形態１に示す空気調和機１００との相違点は、空気調和機１００の構成に、さらに被空調空間である室内に存在するユーザ（在室者）の位置を検出する人体検知センサー３５を室内機１が有している点である。その他の構成は、実施の形態１と同様であり、実施の形態１と同一または相当するものは、同一の符号を付して、その説明は省略する。
【０１２２】
この人体検知センサー３５は、室内機１の前面側に室内に臨むように設置されているもので、ＣＣＤやＣＭＯＳなどのイメージセンサーを用いたカメラか、人体から発生している赤外線を検知する赤外線センサーが用いられる。
【０１２３】
この人体検知センサー３５による在室者（人体）の位置のセンシングを、圧縮機運転状態のみならず過冷房防止のための圧縮機停止状態の間中も継続し、圧縮機停止状態での室内の在室者（ユーザ）の位置を検出する。その検出信号をマイコン２２への入力回路２３が受け取って、演算回路２４へ提供し、演算回路２４は、室内の人体位置を考慮した演算処理や判断処理を行い、その結果を出力回路２５へ提供する。
【０１２４】
人体検出センサー３５の検出信号により室内の在室者（ユーザ）の位置が特定できるため、圧縮機停止状態において、制御装置１０が左右風向板１５や上下風向板１６を回動制御して、吹き出し空気流をその在室者の位置の方向へ整流して吹き出すようにすることができる。また、前述のとおり、空気流が当たっている状態と当たっていない状態が交互に訪れることによる気流刺激で冷涼感を強く感じることがあるので、左右風向板１５や上下風向板１６を、回動範囲全体に渡るスイングではなく、特定した在室者の位置を中心としたより小幅なスイング動作をさせて、上記の気流刺激の繰り返し頻度を高めてより冷涼感を感じさせることもできる。
【０１２５】
また、図５において、圧縮機運転状態の区間ｃから圧縮機停止状態の区間Ａに移行する際に、制御装置１０が、左右風向板１５や上下風向板１６を回動制御して、室内送風ファン９が弱風＋αの回転数で回転して生成する空気流を、検出した在室者（ユーザ）の位置へ向けて吹き出させ、直接身体に当て続けるようにしてもよい。また、移行直後からしばらくは、在室者（ユーザ）の位置へ向けて吹き出させ、直接身体に空気流を当てるようにして、移行して所定時間経過後からは、スイング動作に変更して、ユーザに空気流が当たっている状態と当たっていない状態が交互に繰り返すようにして気流刺激を与えて、ユーザにより強い冷涼感を提供するようにしてもよい。
【０１２６】
以上のように、制御装置１０が、人体検出センサー３５の検出信号によって室内の在室者（ユーザ）の位置を特定し、その位置に基づいて、左右風向板１５や上下風向板１６を回動制御して、圧縮機停止状態における吹き出し空気流の吹き出し方向を調整することで、圧縮機停止状態でのユーザの快適性をより高めることができる。また、ユーザが存在しない位置に吹き出し空気流を吹き出し続けてしまうという無駄をなくし、節電効果を高めることができる。
【０１２７】
実施の形態３．
図１０は、この実施の形態３に係る空気調和機１２０の制御装置１０を中心とする構成ブロック図である。実施の形態１に示す空気調和機１００との相違点は、空気調和機１００の構成に、さらに室内、すなわち被空調空間内の輻射温度（例えば壁や床の表面温度）を検出する輻射温度センサー３６を室内機１が有している点である。その他の構成は、実施の形態１と同様であり、実施の形態１と同一または相当するものは、同一の符号を付して、その説明は省略する。
【０１２８】
この輻射温度センサー３６は、室内機１の前面側に室内に臨むように設置されているもので、この空気調和機１２０では、一般的にはサーモパイルセンサーと呼ばれている、壁面や床面などから放射される赤外線を受け、その入射エネルギー量に応じた熱起電力を発生する熱型の赤外線センサーが用いられている。
【０１２９】
実施の形態１では、設定温度Ｔｓに対して、室内温度センサー１２が検出（測定）した室内温度Ｔａを使用し、これらの差異である温度差ΔＴ（ΔＴ＝Ｔａ−Ｔｓ）を算出して、図６や図７のフローチャートに示すように、このΔＴ値を制御のための条件判断に用いていた。しかし、この空気調和機１２０は、室内温度センサー１２に加えて、輻射温度センサー３６を備えており、壁面温度や床温度といった簡易的な輻射温度を把握することができる。そこで、輻射温度センサー３６の検出信号をマイコン２２への入力回路２３が受け取って、演算回路２４へ提供し、演算回路２４は、室内温度Ｔａに輻射温度Ｔｆを加味して、例えば（Ｔａ＋Ｔｆ）／２のような簡易的な算出方法により、室内の体感温度Ｔｋを算出することができる。なお、輻射温度の１つとして、天井温度も加えるようにしてもよい。
【０１３０】
そこで、制御装置１０は、現在の室内温度Ｔａに変えて、この体感温度Ｔｋを制御温度として使用して、すなわち、現在の室内温度Ｔａを体感温度Ｔｋに置き換えて、温度差ΔＴをΔＴ＝Ｔｋ−Ｔｓで算出し、この体感温度Ｔｋを用いたΔＴを条件判断に使用することで、ユーザの体感温度に近い状態で温度制御を行うことができるようになる。圧縮機停止状態においても、体感温度Ｔｋにより求めた温度差ΔＴを使用することで、温度差ΔＴに応じた風量（室内送風ファン９の回転数）の変更が、ユーザの体感温度に近い状態で行われることになるので、圧縮機停止状態でのユーザの快適性をより高めることができる。この場合、設定温度Ｔｓは、ユーザが希望する体感温度とみなすことができる。
【０１３１】
また、図示はしないが、さらに室内機１に室内、すなわち被空調空間内の相対湿度を検出する湿度センサーを備え、この湿度センサーが検出した相対湿度も体感温度Ｔｋの算出に用いることで、よりユーザの体感温度に近い体感温度Ｔｋが算出できて、圧縮機停止状態でのユーザの快適性をさらに高められる。
【０１３２】
また、実施の形態２に示した空気調和機１１０が備える人体検知センサー３５を、実施の形態３の空気調和機１２０にさらに加えて、圧縮機停止状態において、ユーザの体感温度に近い温度に基づいた温度差ΔＴに応じて室内送風ファン９の風量を変更するとともに、人体検知センサー３５により室内のユーザの位置を特定し、その位置に基づいて、左右風向板１５や上下風向板１６を回動制御して、圧縮機停止状態における吹き出し空気流の吹き出し方向を調整することで、圧縮機停止状態でのユーザの快適性をより高めることでできる。
【０１３３】
輻射温度センサー３６として、多素子のサーモパイルセンサーを使用すれば、被空調空間を縦横に多数に分割して、二次元配列状に各分割要素での輻射温度を熱画像（二次元配列状の輻射温度データ）として検出できる。そして、この熱画像の時系列的な差分から人体の位置の検出が可能となる。さらには時系列的な差分比較を継続することで、人体の活動状態までも検出できるようになる。このように輻射温度センサー３６として、多素子のサーモパイルセンサーを使用することで、人体検知センサー３５を特別に装備してなくても、人体検知の作用をも実現することができる。さらには、人体の活動量も検出できて、この検出結果を体感温度Ｔｋの算出に使用することで、体感温度Ｔｋがよりユーザの体感温度に近いものとなる。
【０１３４】
このような多素子のサーモパイルを輻射温度センサー３６に使用する場合では、左右方向、場合によっては上下方向に輻射温度センサー３６を回動させることで、室内空間のほぼ全域に渡る熱画像を作成することができる。
【０１３５】
なお、ここまで説明した空気調和機は四方弁３を備えて、冷房運転だけでなく暖房運転も可能な空気調和機であったが、四方弁３を有さない冷房専用機であってもこの発明は適用でき、同様な効果が得られる。また、セパレート形でなく、窓掛け型のような一体形であってもよい。また、この室内機１は、室内の壁面上部に設置される壁掛けタイプのものであったが、天井埋込タイプや床置きタイプなど他の形式であってもよく、室内送風ファン９もクロスフローファンでなく、室内機のタイプに応じて、ターボファンやプロペラファンなど他の形式のファンであってもよい。そして、この発明は、空気調和機として、家庭用のルームエアコンに限らず、店舗やオフィス等で使われる業務用エアコンにも適用でき、同様な効果を得ることができる。
【０１３６】
実施の形態４．
ここまでは、ユーザが自ら設定する設定温度Ｔｓを基準として、圧縮機停止状態と圧縮機運転状態との境目（図５における点線Ｌ０）が形成されていた。すなわち、ユーザの意思でこの境目を自由に変更することができるものであった。この実施の形態４では、そのような圧縮機停止状態と圧縮機運転状態との境目を予め固定した新しい運転モードを提供するものであり、以下に説明する。なお、実施の形態４の説明において、実施の形態１から３と同一または相当なものについては、同一の符号を付して説明を省略する。
【０１３７】
例えば、この運転モードをここでは涼風モードと名付ける。この涼風モードは、既存の冷房モード（冷房運転）とも送風モード（送風運転）とも異なるものである。冷房モードは、設定された設定温度Ｔｓに基づき運転制御され、この設定温度Ｔｓもしくは先に説明した基準温度Ｔｂ以下で過冷房防止のために圧縮機停止状態となって、室内送風ファン９の回転による冷気を伴わない空気流が吹出口１９から吹き出され、設定温度Ｔｓもしくは基準温度Ｔｂを超えれば、圧縮機３を起動して冷凍サイクルを稼動状態にして、吹出口１９から室内熱交換器７で冷媒と熱交換して冷却された冷気を吹き出し、室内温度Ｔａを低下させるようにする。また、送風モードは、運転中に圧縮機３を起動することなく、室内送風ファン９を回転させ、吹出口１９から冷気を伴わない空気流を吹き出すのみである。
【０１３８】
この涼風モードは、冷房モードにおける設定温度Ｔｓもしくは基準温度Ｔｂに相当する温度を予め固定しておくものであり、ここではこの温度を、移行温度Ｔｍとする。ユーザが涼風モード運転を指定すると、現在の室内温度Ｔａもしくは体感温度Ｔｋがこの移行温度Ｔｍ以下であれば、圧縮機３を起動せずに冷気を伴わない空気流（室内送風ファン９が生成）を吹き出し、室内温度Ｔａが上昇し、移行温度Ｔｍを超えれば、自動的に圧縮機３を起動し冷気を吹き出すようにして、室内を冷やそうとするものである。
【０１３９】
もちろん、この移行温度Ｔｍ以下で圧縮機３の運転がなされていないときの送風作用では、実施の形態１で示した圧縮機停止状態と同じように、温度差ΔＴ（ここではΔＴ＝Ｔａ−Ｔｍ、もしくはΔＴ＝Ｔｋ−Ｔｍ）の大きさに応じて、風量（室内送風ファン９の回転数）を変更させ、ユーザに現在の室内温度Ｔａに見合った適度な冷涼感を与える。
【０１４０】
気温３１℃を超えると熱中症の厳重警戒領域となって熱中症の危険が高まると一般的にいわれているが、例えば、この３１℃を移行温度Ｔｍとしておけば、現在の室内温度Ｔａもしくは体感温度Ｔｋがこの温度を超えれば、自動的に吹出口１９から冷気が吹き出て室内を冷やして室内温度Ｔａを下げるので、熱中症の危険性を低減させる効果が期待でき、ユーザの健康を配慮した節電運転を行うことができる。
【０１４１】
ユーザによって暑さ寒さの感じ方、捉え方は異なるので、この移行温度Ｔｍをユーザの手で変更可能としてもよいが、その場合では、冷房モードの設定温度のようにリモコン１３で簡単に変更できるようにはせずに、複雑な処理でないと変更できないようにして、冷房モードとの差異を明確にすることが望ましい。また、既存の送風モードをこの実施の形態４に示した涼風モードとして設定してもよい。
【符号の説明】
【０１４２】
１  室内機、２  室外機、３  圧縮機、４  四方弁、５  室外熱交換器、６  膨張弁、７  室内熱交換器、８  室外送風ファン、９  室内送風ファン、１０  制御装置、１２  室内温度センサー、１３  リモコン、１４  リモコン受信部、１５  左右風向板、１６  上下風向板、１７  正面意匠パネル、１８  吸込口、１９  吹出口、２０  筐体、２１  エアフィルター、２２  マイクロコンピュータ、２３  入力回路、２４  演算回路、２５  出力回路、２６  メモリ、２７  ＣＰＵ、２８  受信内容解析部、２９  室内温度換算部、３０  温度差算出部、３１  圧縮機制御部、３２  室内送風ファン制御部、３３  圧縮機運転状態時制御部、３４  圧縮機停止状態時制御部、３５  人体検知センサー、３６  輻射温度センサー。
【図１】
0005585556.tif 000002
【図２】
0005585556.tif 000003
【図３】
0005585556.tif 000004
【図４】
0005585556.tif 000005
【図５】
0005585556.tif 000006
【図６】
0005585556.tif 000007
【図７】
0005585556.tif 000008
【図８】
0005585556.tif 000009
【図９】
0005585556.tif 000010
【図１０】
0005585556.tif 000011